(57)【特許請求の範囲】
【請求項１】
複数種の情報を受信する受信手段と、
この受信手段により受信された情報を出力する出力手段と、
前記複数種の情報の中から所望の情報を選択する情報選択手段と、
地図データに基づく地図を表示する表示手段と、
前記表示手段に表示された地図上で所望の場所を指定する場所指定手段と、
前記情報選択手段により選択された情報を特定する特定データ、及び前記場所指定手段により指定された場所を示す場所データを互いに対応して記憶する記憶手段と、
自己位置を取得する自己位置取得手段と、
この自己位置取得手段により取得された自己位置が、前記記憶手段に記憶されている場所データにより示される場所と所定の基準により一致したと判断したとき、当該場所データに対応して前記記憶手段に記憶されている特定データにより特定される情報を前記出力手段に出力させる制御手段とを備えたことを特徴とする情報受信装置。
【請求項２】
ヘッダデータ及び本文データを有する複数種の情報を受信する受信手段と、
前記複数種の情報のそれぞれを特定する特定データと、前記複数種の情報がそれぞれ有する前記ヘッダデータとを互いに対応して記憶する記憶手段と、
この受信手段により受信された情報を出力する出力手段と、
自己位置を取得する自己位置取得手段と、
前記自己位置取得手段により取得された自己位置に基づき特定される場所と所定の基準により同一視可能な場所を示すデータが含まれた前記ヘッダデータに対応して前記記憶手段に記憶されている、前記特定データにより特定される情報を前記受信手段に受信させ、かつ前記出力手段に出力させる制御手段とを備えたことを特徴とする情報受信装置。
【請求項３】
受信した複数種の情報の中から所望の情報を出力する情報出力方法において、
前記所望の情報を特定する特定データと、あらかじめ表示された地図上で指定した所望の場所を示す場所データとを互いに対応させて記憶させておき、
自己位置が事前に記憶されている前記場所データにより示される場所と所定の基準により一致したと判断したとき、当該場所データに対応して事前に記憶されている前記特定データにより特定される情報を出力することを特徴とする情報出力方法。
【請求項４】
ヘッダデータ及び本文データを有する複数種の情報の中から特定の情報を出力する情報出力方法において、
前記複数種の情報のそれぞれを特定する特定データと、前記複数種の情報がそれぞれ有する前記ヘッダデータとを互いに対応させて記憶しておき、
自己位置を取得し、取得した自己位置に基づき特定される場所と所定の基準により同一視可能な場所を示すデータが含まれた前記ヘッダデータに対応して記憶されている、前記特定データにより特定される情報を出力することを特徴とする情報出力方法。
【請求項５】
コンピュータによって読み取られ実行されるプログラムを記録した記録媒体において、
受信した複数種の情報の中から選択された情報を特定する特定データと、
あらかじめ表示された地図上で指定した場所を示す場所データとを互いに対応させて記憶手段に記憶させ、取得された自己位置が、前記記憶手段に記憶されている場所データにより示される場所と所定の基準により一致したと判断したとき、当該場所データに対応して前記記憶手段に記憶させた特定データにより特定される情報を出力手段に出力させるプログラムを含むことを特徴とする記録媒体。
【請求項６】
コンピュータによって読み取られ実行されるプログラムを記録した記録媒体において、
ヘッダデータ及び本文データを有する複数種の情報のそれぞれを特定する特定データと、前記複数種の情報がそれぞれ有する前記ヘッダデータとを互いに対応させて記憶手段に記憶させ、
取得された自己位置に基づき特定される場所と所定の基準により同一視可能な場所を示すデータが含まれる前記ヘッダデータに対応して記憶されている、前記特定データにより特定される情報を出力手段に出力させるプログラムを含むことを特徴とする記録媒体。
【発明の詳細な説明】
【０００１】
【発明の属する技術分野】
本発明は、例えばＦＭ多重放送による交通情報を受信する情報受信装置、情報出力方法及び記録媒体に関する。
【０００２】
【従来の技術】
現在、ナビゲーション装置においては、別売品又は内蔵でＶＩＣＳ受信機が用意されており、このＶＩＣＳ受信機によりＶＩＣＳセンターが放送する渋滞情報等の交通情報を受信するとともに、受信した交通情報をモニター上に表示したり、或いはモニターに表示されている地図上に重ねて表示できるようになっている。ＶＩＣＳで使用する放送メディアはＦＭ多重放送、電波ビーコン、光ビーコンであり、主としてＦＭ多重放送が広域用、電波ビーコン及び光ビーコンが狭域用の放送に用いられている。また前記放送メディアにより送られる交通情報の表示形態は、レベル１からレベル３までの３種類であって、レベル１が文字表示型、レベル２が簡易図形表示型、レベル３が地図表示型となっている。
【０００３】
また、前記交通情報を利用する場合、レベル３での利用は、地図上に赤や橙の矢印により渋滞や混雑を重ねて表示し、またシンボルにより交通規制等の情報を重ねて表示することにより、受信情報が地図と同時にいつでも見られるようになっている。これに対し、文字・簡易図形表示型であるレベル１又はレベル２での利用は、受信した交通情報がどの放送メディアによるかによって利用形態が異なっている。すなわち電波ビーコン、光ビーコンによる交通情報の場合には、その情報を、道路上に設置されているビーコン送信機の下を通過することにより受信するため、受信した時点の表示（例えば、地図表示）に割り込ませて自動で表示することができる。
【０００４】
【発明が解決しようとする課題】
しかしながら、従来のナビゲーション装置においては、前述したＶＩＣＳの交を情報をレベル１又はレベル２で利用するとき、その交通情報がＦＭ多重放送によるものである場合、それが広域用の交通情報であり多数の地域の交通情報が混在しているため、利用者はマニュアル操作でモニター上でメニューを開き、必要とする場所、例えば高速道路等の特定の道路や路線、地域に関する情報画面を呼び出すという操作を強いられており、ＦＭ多重放送による交通情報の利用環境が良好なものとはいえなかった。
【０００５】
本発明は、かかる従来の課題に鑑みてなされたものであり、主としてＦＭ多重放送による交通情報の利用環境を向上させる情報受信装置、情報出力方法及び記録媒体の提供を目的とする。
【０００６】
【課題を解決するための手段】
前記課題を解決するために請求項１の情報受信装置にあっては、複数種の情報を受信する受信手段と、この受信手段により受信された情報を出力する出力手段と、前記複数種の情報の中から所望の情報を選択する情報選択手段と、地図データに基づく地図を表示する表示手段と、前記表示手段に表示された地図上で所望の場所を指定する場所指定手段と、前記情報選択手段により選択された情報を特定する特定データ、及び前記場所指定手段により指定された場所を示す場所データを互いに対応して記憶する記憶手段と、自己位置を取得する自己位置取得手段と、この自己位置取得手段により取得された自己位置が、前記記憶手段に記憶されている場所データにより示される場所と所定の基準により一致したと判断したとき、当該場所データに対応して前記記憶手段に記憶されている特定データにより特定される情報を前記出力手段に出力させる制御手段とを備えたものとした。
【０００７】
かかる構成において、使用者が、所望の場所を指定するとき、表示手段に表示された地図によりその場所を確認しながら指定作業を行うことができ、情報選択手段により所望の情報が選択され、かつ場所指定手段により所望の場所、例えば特定の地点、地域、道路、路線等が指定されると、選択された情報を特定する特定データと、指定された場所を示す場所データが互いに対応して記憶手段に記憶される。その後、自己位置取得手段により取得された自己位置が、記憶手段に記憶されている場所データにより示される場所と所定の基準により一致したと判断されると、例えば自己位置が特定の路線に所定距離だけ近接すると、記憶手段に記憶されている特定データにより特定される情報が出力手段によって出力される。すなわち、所望する情報と、その情報を受信したい特定の場所とが事前に設定されると、特定の場所に移動したときには自動的に所望する情報が出力される。
【０００９】
また、請求項２の情報受信装置にあっては、ヘッダデータ及び本文データを有する複数種の情報を受信する受信手段と、前記複数種の情報のそれぞれを特定する特定データと、前記複数種の情報がそれぞれ有する前記ヘッダデータとを互いに対応して記憶する記憶手段と、この受信手段により受信された情報を出力する出力手段と、自己位置を取得する自己位置取得手段と、前記自己位置取得手段により取得された自己位置に基づき特定される場所と所定の基準により同一視可能な場所を示すデータが含まれた前記ヘッダデータに対応して前記記憶手段に記憶されている、前記特定データにより特定される情報を前記受信手段に受信させ、かつ前記出力手段に出力させる制御手段とを備えたものとした。
【００１０】
かかる構成において、自己が移動しているとき、自己位置に基づき特定される場所、例えば任意の地点、地域、道路、路線と所定の基準により同一視可能な場所を示すデータ、例えば特定の地点、地域、道路、路線の名称を示すデータが含まれたヘッダデータを有する情報が放送されていると、当該ヘッダデータにより特定される情報が出力手段によって出力される。すなわち、移動時には、自己の現在地に関係する情報が自動的に出力される。また、それを既存する情報のフォーマット形式を変更することなく行い得る。また、自己が移動しているとき、複数種の情報を受信手段によって常時に受信していなくとも、自己位置に基づき特定される場所と所定の基準により同一視可能な場所を示すデータが含まれたヘッダデータを有する特定の情報を受信し出力させることができる。
【００１３】
また、請求項３の情報出力方法にあっては、受信した複数種の情報の中から所望の情報を出力する情報出力方法において、前記所望の情報を特定する特定データと、あらかじめ表示された地図上で指定した所望の場所を示す場所データとを互いに対応させて記憶させておき、自己位置が事前に記憶されている前記場所データにより示される場所と所定の基準により一致したと判断したとき、当該場所データに対応して事前に記憶されている前記特定データにより特定される情報を出力するようにした。
【００１４】
かかる方法によれば、所望する情報と、その情報を受信したい特定の場所とを事前に設定しておくことにより、特定の場所に移動したときには自動的に所望する情報を出力させることができる。
【００１５】
また、請求項４の情報出力方法にあっては、ヘッダデータ及び本文データを有する複数種の情報の中から特定の情報を出力する情報出力方法において、前記複数種の情報のそれぞれを特定する特定データと、前記複数種の情報がそれぞれ有する前記ヘッダデータとを互いに対応させて記憶しておき、自己位置を取得し、取得した自己位置に基づき特定される場所と所定の基準により同一視可能な場所を示すデータが含まれた前記ヘッダデータに対応して記憶されている、前記特定データにより特定される情報を出力するようにした。
【００１６】
かかる方法によれば、移動時には、自己の現在地に関係する情報を自動的に出力させることができ、また、それを既存する情報のフォーマット形式を変更することなく行い得る。
【００１７】
また、請求項５の発明においては、コンピュータによって読み取られ実行されるプログラムを記録した記録媒体において、受信した複数種の情報の中から選択された情報を特定する特定データと、あらかじめ表示された地図上で指定した場所を示す場所データとを互いに対応させて記憶手段に記憶させ、取得された自己位置が、前記記憶手段に記憶されている場所データにより示される場所と所定の基準により一致したと判断したとき、当該場所データに対応して前記記憶手段に記憶させた特定データにより特定される情報を出力手段に出力させるプログラムを含むものとした。
【００１８】
かかる記録媒体に記録されたプログラムを用いれば、コンピュータに、所望する情報と、その情報を受信したい特定の場所とを事前に設定しておくことにより、特定の場所に移動したときには自動的に所望する情報を出力させる処理を行わせることができる。
【００１９】
また、請求項６の発明においては、コンピュータによって読み取られ実行されるプログラムを記録した記録媒体において、ヘッダデータ及び本文データを有する複数種の情報のそれぞれを特定する特定データと、前記複数種の情報がそれぞれ有する前記ヘッダデータとを互いに対応させて記憶手段に記憶させ、取得された自己位置に基づき特定される場所と所定の基準により同一視可能な場所を示すデータが含まれる前記ヘッダデータに対応して記憶されている、前記特定データにより特定される情報を出力手段に出力させるプログラムを含むものとした。
【００２０】
かかる記録媒体に記録されたプログラムを用いれば、コンピュータに、移動時に、自己の現在地に関係する情報を自動的に出力させることができ、また、それを既存する情報のフォーマット形式を変更することなく行い得る処理を行わせることができる。
【００２１】
【発明の実施の形態】
以下、本発明の第１の実施の形態を図にしたがって説明する。図１は、本発明の情報受信装置であるとともに、従来技術で説明したＶＩＣＳによる交通情報の受信機能を有するナビゲーション装置を示すブロック図である。
【００２２】
このナビゲーション装置は、ＧＰＳアンテナ１と、ＧＰＳアンテナ１により受信した衛星からのＬ１帯のＣ／Ａコードを復調・解読して現在地の緯度・経度を割り出すＧＰＳブロック２とを有している。ＧＰＳブロック２により割り出された緯度・経度の情報はグラフィックブロック３に入力され、ＣＰＵ４に取り込まれる。グラフィックブロック３にはＣＤブロック５が接続されている。ＣＤブロック５は、地図ＣＤ−ＲＯＭ６から各種データ、すなわち道路属性、路線名称等の道路データ、地名データ等の地図情報、道路の交差点を示すノードデータ、各ノードデータ間を連結する道路リンクデータ等を読み出し出力する。ＣＤブロック５から出力された各種データは、ＲＡＭ７を介してＲＯＭ８から読み出されたデータとともにＣＰＵ周辺回路Ｇ／Ａ９を経由してＣＰＵ４へ送られる。さらに、地図ＣＤ−ＲＯＭ６から読み出されたデータはグラフィックコントローラ１０によりビデオＲＡＭ１１を介してモニター１２に送られ、これによりモニター１２の画面に地図が表示される。ＣＰＵ４は、ＲＯＭ８に格納された制御プログラムに従いＲＡＭ７をワーキングメモリとして動作し、本発明における制御手段を実現する。
【００２３】
また、前記グラフィックブロック３は、ＦＭアンテナ１３によってＦＭ多重放送波を受信し、それに多重化されている交通情報を復調し出力するＦＭ多重受信機１４と、ビーコンアンテナ１５によって電波（又は光）ビーコン発信機からの信号を受信し、それに乗せて送られてくる交通情報を復調し出力するビーコン受信機１６とを有している。双方の受信機１４，１６によって受信された渋滞情報などの交通情報は交通情報処理コントローラー１７により処理された後、ＣＰＵ周辺回路Ｇ／Ａ９を介してＣＰＵ４に送られる。その後、前記交通情報は必要に応じて、グラフィックコントローラ１０に送られ、地図ＣＤ−ＲＯＭ６から読み出された情報にリンクして前記モニター１２の画面に表示される。つまり、前記両アンテナ１３，１５と、前記両受信機１４，１６と、交通情報処理コントローラー１７とによって本発明の受信手段が実現されている。そして、前記グラフィックブロック３には、Ｄ／Ａコンバータ１８及びアンプ１９を介して、合成音からなる案内音を経路誘導時等に放音するスピーカ２０が接続されるとともに、各種の動作モードの設定キー、カーソルキー、登録キー、決定キー等の図示しない複数の操作キーを有するキーブロック２１が接続されている。
【００２４】
また、前記ＲＡＭ７はバックアップ電源により記憶内容の保持が可能であるとともに、そのメモリ空間には、図２に示した道路／番組リンクテーブルＡを構築するための記憶エリアが確保されており、ＲＡＭ７により本発明の記憶手段が実現されている。道路／番組リンクテーブルＡは、道路データａと、これに対応する番組データｂ、すなわち受信周波数ｃ、伝送モードｄ、情報種別ｅ、番組番号ｆとからなり、後述する登録モードにおける使用者の操作に伴って順次構築されるようになっている。
【００２５】
次に、以上の構成からなる本実施の形態における動作を説明する。すなわち図３は、使用者により登録モードが選択されたときの動作を示すフローチャートであって、使用者が登録モードを選択すると、ナビゲーション装置はモニター１２に、自車位置付近の地図画面を表示させる（ＳＡ１）。次に、使用者が、その時点で表示されている地図や任意の地域の地図を表示させるとともに、図４（ａ）に示すように、カーソルキーの操作で地図画面Ｌ上のカーソルＣを移動させることによって、リンクさせたい路線を選択した後（ＳＡ２）、登録キーを操作すると（ＳＡ３）、選択された路線（本実施の形態では東名高速道路）に関する道路属性、路線名称等の道路データを、ＲＡＭ７の前述した道路／番組リンクテーブルＡの記憶エリアに記憶し（ＳＡ４）、ＦＭ多重モードに移行する（ＳＡ５）。
【００２６】
ここで、使用者が周波数の指定等のチューニング操作を行うと、ナビゲーション装置はＦＭ多重放送による交通情報（本実施の形態ではＶＩＣＳの交通情報）を受信し、モニター１２に図４（ｂ）に示したような交通情報のメニュー画面Ｍを表示する（ＳＡ６）。さらに、使用者が、ステップＳＡ３の操作で登録した路線（東名高速道路）にリンクさせたいＶＩＣＳの情報をメニュー画面Ｍから選択すると、ナビゲーション装置は、選択された情報、例えば図４（ｃ）に示すようなレベル２の情報画面Ｎを表示した後（Ｓ７Ａ）、使用者により決定キーが操作されると（ＳＡ８）、表示している情報の種別を示す受信周波数、伝送モード等の番組データをステップＳＡ４で記憶した道路データに対応させてＲＡＭ７に記憶する（ＳＡ９）。これにより、道路／番組リンクテーブルＡの一構成データが生成されるとともに、前述したステップＳＡ１〜ＳＡ９の動作が繰り返して行われることによりＲＡＭ７内には、複数の道路データａと、それに対応する複数の番組データｂとからなる道路／番組リンクテーブルＡが構築される。なお、前記ステップＳＡ６とステップＳＡ７の動作は、従来、使用者がＦＭ多重放送によるＶＩＣＳ情報をレベル２で利用する場合と同様である。
【００２７】
また、図５は、前述した登録モードによって、ＲＡＭ７内に道路／番組リンクテーブルＡが構築された後、使用者によって自動表示モードが設定されることにより、自車が走行途中にあるときナビゲーション装置がＶＩＣＳの交通情報を自動表示する際の動作を示すフローチャートである。すなわちナビゲーション装置は、図６（ａ）に示したような自車位置付近の地図画面Ｌを表示した後（ＳＢ１）、自車位置が、ある道路上のノードつまり地図ＣＤ−ＲＯＭ６から読み出したノードデータにより示される交差点等に所定距離だけ接近しているか否かを判別し（ＳＢ２）、接近していないときにはステップＳＢ１に戻る。また、接近していたときには、さらに、地図ＣＤ−ＲＯＭ６から読み込んだ、前記ノードデータにより示される交差点等を含む道路（路線）を示す道路データがＲＡＭ７の前記道路／番組リンクテーブルＡに存在するか否かを判別する（ＳＢ３）。そして、存在していなければステップＳＢ１に戻る。
【００２８】
また、ここで前記道路データが存在しているときには、道路／番組リンクテーブルＡから、前記道路データに対応する番組データｂ、つまり受信周波数ｃ、伝送モードｄ、情報種別ｅ、番組番号ｆを呼び出し、呼び出した番組データｂにより示される周波数のＶＩＣＳ放送電波（ＦＭ多重放送波）を受信するとともにＦＭ多重データを復調し（ＳＢ４）、図６（ｃ）に示すような、情報画面Ｎ（本実施の形態では、東名高速の所要時間情報に関するレベル２の画面）をモニター１２に表示する。しかる後、使用者が所定のキー操作により表示終了操作を行ったり（ＳＢ６でＹＥＳ）、表示時間が所定時間になると（ＳＢ７でＹＥＳ）、情報画面の表示を終了しステップＳＢ１へ戻るとともに、使用者により自動表示モードが解除されるまで前述した動作を繰り返す。
【００２９】
従って、自車位置が移動に伴い東名高速道路にさしかかったとき、使用者は、モニター１２上でメニューを開いて必要な情報画面を呼び出すという煩雑な操作を行わなくとも、東名高速道路の交通情報を利用することができる。よって、前記交通情報の利用環境を向上させることができる。
【００３０】
また、本実施の形態においては、前述した登録モードで所望の路線を指定する際、モニター１２に表示されている地図上から所望の路線を指定するようにしたことから、指定する路線を地図で確認しながらその指定作業を行うことができ、所望の路線の指定作業が楽になる。
【００３１】
なお、本実施の形態における道路／番組リンクテーブルＡに、前述した特定の路線を示す道路データに代えて、使用者の所望する地点を示す緯度／経度データや、所望の地域を示す地名データといった、所望の場所を示す場所データを番組データに対応して記憶させておき、前述した自動表示モードの設定時には、前記所望の場所に近づいたとき、事前に選択しておいた交通情報を自動的に表示させるようにしてもよい。その場合であっても、煩雑な操作を行わなくとも、ＦＭ多重放送によるＶＩＣＳの交通情報における自車位置に関係する場所の情報を得ることができ利用環境が向上する。
【００３２】
また、前述した自動表示モードにおいて、ステップＳＢ１の地図表示中も常時受信したＦＭ多重データを記憶するようにし、ステップＳＢ４で、呼び出した番組データに対応する番組情報が既に記憶されている場合には、新たな受信を行うことなく、記憶されている番組情報に基づく情報画面をステップＳＢ５で表示させるようにしたもよい。
【００３３】
次に、本発明の第２の実施の形態を図にしたがって説明する。本実施の形態は、図１に示したナビゲーション装置において、前記ＲＡＭ７のメモリ空間に、図７に示した番組データテーブルＢを構築するための記憶エリアが確保されるとともに、前記ＲＯＭ８に、後述する番組データ収集モードでの動作、及び自動表示モードでの動作をナビゲーション装置に行わせるための制御プログラムが格納されたものである。前記番組データテーブルＢは、ＦＭ多重放送波に多重化されている多重データを構成するデータであって各番組のヘッダ部に含まれる文字コードｇと、その番組を示す番組データｂ、すなわち受信周波数ｃ、伝送モードｄ、情報種別ｅ、番組番号ｆとからなり、後述する番組データ収集モードでの動作時に伴い順次構築されるようになっている。
【００３４】
以下、前記構成からなる本実施の形態における動作を説明する。すなわち図８は、使用者により番組データ収集モードが選択されたときの動作を示すフローチャートであって、かかるモードが選択されるとナビゲーション装置は、例えば所定距離を移動する毎にＦＭ多重放送によるＶＩＣＳの交通情報を受信できたか否かを判別し（ＳＣ１）、受信できなければ、その地点から所定距離を移動する毎にその判別を繰り返す。なお、前記交通情報の受信は、例えば予め決められているとともに地域により異なるＶＩＣＳ放送の周波数を順次切り換え、各地点で受信可能な周波数をサーチすることにより行われる。また、ステップＳＣ１の判別を繰り返すうちに前記交通情報が受信できたら（ＳＣ１でＹＥＳ）、その放送電波に多重化されている多重データを前記ＦＭ多重受信機１４で復調するとともに、各番組のヘッダ部に含まれている文字コードと、その番組の受信周波数、伝送モード等の番組データとを対応させてＲＡＭ７に記憶する（ＳＣ２）。なお、ここで記憶される文字コードは、例えば図６（ｂ）に示した情報画面Ｎの上部に表示される文字（「トウメイ  コウソク」）を表すコードである。しかる後、ステップＳＣ１へ戻るとともに、使用者によって番組データ収集モードが解除されるまで前述した動作を繰り返すことにより、ＲＡＭ７に前記番組データテーブルＢが構築される。
【００３５】
また、図９は、前述した番組データ収集モードによって、ＲＡＭ７内に番組データテーブルＢが構築された後、使用者によって自動表示モードが設定されることにより、自車が走行途中にあるときのナビゲーション装置がＶＩＣＳの交通情報を自動表示する際の動作を示すフローチャートである。すなわちナビゲーション装置は、自車位置付近の地図画面Ｌ（図６（ａ）参照）を表示した後（ＳＤ１）、自車位置が、ある道路のノードつまり地図ＣＤ−ＲＯＭ６から読み込んだノードデータにより示される交差点等に所定距離だけ接近しているか否かを判別し（ＳＤ２）、接近していないときにはステップＳＤ１に戻る。また、接近していたときには、地図ＣＤ−ＲＯＭ６より読み込んだノードデータにより示される交差点等を含む道路（路線）の属性や読み仮名文字列の文字コードを、ＲＡＭ７のワーキングエリアに呼び込む（ＳＤ３）。なお、前記ノードデータにより示される交差点等を含む道路が「東名高速」である場合、前記読み仮名文字列は「トウメイコウソク」となる。
【００３６】
引き続き、前記読み仮名文字列の文字コードと同一の文字コードが付加されている番組データがＲＡＭ７の番組データテーブルＢに存在するか否かを判別する（ＳＤ４）。ここで、例えば番組データテーブルＢに、ヘッダ部の文字コードｇとして「トウメイ  コウソク」を表す文字コードデータが記憶されている場合には（ＳＤ４でＹＥＳ）、対応して記憶されている番組データｂ（受信周波数ｃ、番組番号ｆ等）を呼び出し、呼び出した番組データｂにより示される周波数のＶＩＣＳ放送電波を受信するとともに（ＳＤ５）、図６（ｂ）に示したような情報画面Ｎをモニター１２に表示する（ＳＤ６）。しかる後、使用者が所定のキー操作により表示終了操作を行ったり（ＳＤ７でＹＥＳ）、表示時間が所定時間になると（ＳＤ８でＹＥＳ）、番組画面の表示を終了しステップＳＤ１へ戻る。
【００３７】
一方、前述したステップＳＤ４の判別結果がＮＯであって、ステップＳＤ３で呼び出した文字コードと同一の文字コードが付加されているデータが前記番組データテーブルＢに存在していない場合には、呼び出した文字コードと類似する文字コードが存在するかどうかについての類似確認を行う（ＳＤ９）。なお、かかる類似確認は、例えば確認対象となる双方の文字コードよって表される各々の仮名文字列のうちに、同一の文字が所定数（４つ等）以上存在するかどうかを調べることにより行う。そして、類似した文字コードが存在していなければ（ＳＤ１０でＮＯ）、ステップＳＤ１へ戻る。また、類似した文字コードが存在していれば（ＳＤ１０でＹＥＳ）、当該文字コードによる仮名文字列が示す路線と、その時点で実際に接近している路線とが同一であるか否かを使用者に確認させるための確認画面、例えば確認対象となる仮名文字列と、「同一」及び「不同」を示す選択ボタンとが表示された画面（図示せず）をモニター１２に表示する（ＳＤ１１）。
【００３８】
しかる後、使用者のキー操作により「不同」が選択された場合には（ＳＤ１２でＮＯ）ステップＳＤ１へ戻り、「同一」が選択された場合には（ＳＤ１２でＹＥＳ）前述したステップＳＤ５へ進み、同一と判断された仮名文字列の文字コードと対応してＲＡＭ７に記憶されている番組データｂを呼び出すとともに、呼び出した番組データｂにより示されるＶＩＣＳ放送電波を受信し（ＳＤ５）、以下、前述したステップＳＤ６〜ＳＤ８の動作を行う。そして、使用者により自動表示モードが解除されるまでステップＳＤ１〜ＳＤ１２の動作を繰り返す。
【００３９】
従って、第１の実施の形態と同様に、自車位置が移動に伴い東名高速道路にさしかかったとき、使用者は、モニター１２上でメニューを開いて必要な情報画面を呼び出すという煩雑な操作を行うことなく、東名高速道路に関係したＦＭ多重放送によるＶＩＣＳの交通情報、すなわちヘッダ部に路線名称のデータが含まれているレベル１又はレベル２の情報を利用することができる。しかも、第１の実施の形態におけるような事前の登録作業も不要である。よって、前記交通情報の利用環境を格段に向上させることができる。また、現在放送されている既存する情報のフォーマット形式を変更することなく、東名高速道路にさしかかったとき、それに関する情報の自動表示が可能であるため、既存の放送への対処が可能であり、直ちに実施することができる。
【００４０】
なお、本実施の形態においては、前記番組データ収集モードの設定時においては、番組を受信したとき、受信した各番組のヘッダ部に含まれている文字コードのみを、番組データと対応させてＲＡＭ７に記憶する一方、自動表示モードにおいては、記憶されている文字コードに基づき番組を特定し、その番組を新たに受信して表示させるようにしたが、番組データ収集モードで番組を受信したとき、その番組の本文データを前記文字コードに加えてＲＡＭ７に同時に記憶させておき、自動表示モードでの番組の表示に際しては、番組データ収集モードで記憶させておいた本文データに基づき番組を表示させるようにしても構わない。
【００４１】
また、本実施の形態においては、前述した自動表示モードの設定時に、自車が接近している路線の名称の文字コードをキーとして、その時点で受信し表示させるべき交通情報を特定するようにしたが、路線の名称の文字コードに代えて、又はそれに加えて、その時点で取得した緯度・経度情報に基づき特定できる場所を示すデータ、例えば自車が進行した地域を示す地名データをキーとして、その時点で受信し表示させるべき交通情報を特定するようにしてもよい。
【００４２】
また、本実施の形態においては、前記番組データ収集モードの設定時に、事前に受信可能な情報に関するデータを収集し、ＲＡＭ７に前記番組データテーブルＢを構築するとともに、自動表示モードが設定されている状態では、自車が東名高速道路にさしかかったとき、番組データテーブルＢに基づき、東名高速道路と関係があるレベル２の交通情報を表示するようにしたことから、自車が東名高速道路にさしかかったときには、東名高速道路と関係があるレベル２の交通情報を瞬時に表示させることができる。これは、前記番組データテーブルＢが存在しない場合、移動時においては自車が所定の距離（又は時間）移動する度毎に、受信周波数を順次切り換えて受信可能な周波数をサーチする必要があるが、本実施の形態においてはその必要がないためである。
【００４３】
また、以上説明した第１及び第２の実施形態においては、本発明における複数種の情報がＶＩＣＳの交通情報である場合についてのみ説明したが、ＶＩＣＳ以外のＦＭ多重放送による交通情報はもとより、複数種の情報が混在して送られている他の放送の受信に際しても、事前に指定した場所や現在地に関係する情報を煩雑な操作を行うことなく利用することができる。
【００４４】
また、本実施の形態においては、ＣＰＵ４の制御プログラムがＲＯＭ８に記憶されているナビゲーション装置を示したが、前記制御プログラムを地図ＣＤ−ＲＯＭ６等の他の記録媒体を介してナビゲーション装置に供給するようにすれば、既存のナビゲーション装置においても本発明を実施させることができる。また、前記制御プログラムと同等の制御プログラムを地図ＣＤ−ＲＯＭ６等の他の記録媒体に記憶しておけば、その制御プログラムを、前記ＧＰＳアンテナ１やＧＰＳブロック２に相当するＧＰＳユニットが接続された携帯型のパソコン等の他の装置に供給することによって、そうした装置においても本発明を容易に実施させることができる。
【００４５】
【発明の効果】
以上説明したように請求項１の情報受信装置及び請求項３の情報出力方法においては、使用者が、所望の場所を指定するとき、表示手段に表示された地図によりその場所を確認しながら指定作業を行うことができるようにしたので所望の場所の指定作業が楽になる。さらに所望する情報と、その情報を受信したい特定の場所とが事前に設定されると、特定の場所に移動したときには自動的に所望する情報が出力されるようにした。このため、例えばＦＭ多重放送によるＶＩＣＳの交通情報におけるレベル１又はレベル２の情報を所望する情報として、また特定の場所として高速道路を事前に設定しておけば、高速道路に接近したとき等には、煩雑な操作を必要とすることなく、その高速道路に関係するレベル１又はレベル２の交通情報を利用することが可能となる。つまり、所望する場所で所望する情報を直ちに利用することができるため、複数種の情報が混在して送られているＦＭ多重放送による交通情報等の情報を利用する際の利用環境を向上させることができる。
【００４７】
また、請求項２の情報受信装置及び請求項４の情報出力方法においては、移動時には、自己の現在地に関係する情報が自動的に出力されるようにした。このため、例えばＦＭ多重放送によるＶＩＣＳの交通情報の利用に際しては、煩雑な操作はもとより前述した事前の設定を行うことなく、自己の現在地に関係するレベル１又はレベル２の交通情報を利用することが可能となる。よって、複数種の情報が混在して送られているＦＭ多重放送による交通情報等の情報を利用する際の利用環境を格段に向上させることができる。また、それを既存する情報のフォーマット形式を変更することなく行い得るようにしたことから、既存の放送への対処が可能であり、直ちに実施することができる。また、移動中においては、自己位置に基づき特定される場所と関係がある特定の情報を瞬時に受信して出力させることができる。
【００４９】
また、請求項５の記録媒体においては、それに記録されたプログラムを用いれば、コンピュータに、所望する情報と、その情報を受信したい特定の場所とを事前に設定しておくことにより、特定の場所に移動したときには自動的に所望する情報を出力させる処理を行わせることができるようにした。よって、コンピュータを備えた既存の受信装置を、容易に請求項１の情報受信装置として機能させることができる。
【００５０】
また、請求項６の記録媒体においては、それに記録されたプログラムを用いれば、コンピュータに、移動時に、自己の現在地に関係する情報を自動的に出力させることができ、また、それを既存する情報のフォーマット形式を変更することなく行い得る処理を行わせることができるようにした。よって、コンピュータを備えた既存の受信装置を、容易に請求項２の情報受信装置として機能させることができる。
【００５１】
【図面の簡単な説明】
【図１】本発明の一実施の形態を示すナビゲーション装置のブロック図である。
【図２】本発明の第１の実施の形態においてＲＡＭに構築される道路／番組リンクテーブルを示す模式図である。
【図３】同実施の形態における登録モードでの動作を示すフローチャートである。
【図４】同登録モードでの動作時に表示される画面を示す図である。
【図５】本発明の第１の実施の形態における自動表示モードでの動作を示すフローチャートである。
【図６】本発明の第１及び第２の実施の形態における自動表示モードでの動作時に表示される画面を示す図である。
【図７】本発明の第２の実施の形態においてＲＡＭに構築される番組データテーブルを示す模式図である。
【図８】同実施の形態における番組データ収集モードでの動作を示すフローチャートである。
【図９】同実施の形態における自動表示モードでの動作を示すフローチャートである。
【符号の説明】
１    ＧＰＳアンテナ
２    ＧＰＳブロック
４    ＣＰＵ
６    地図ＣＤ−ＲＯＭ
７    ＲＡＭ
８    ＲＯＭ
１２    モニター
１４    ＦＭ多重受信機
１５    交通情報コントローラ
【図１】
0003695099.tif 000002
【図２】
0003695099.tif 000003
【図３】
0003695099.tif 000004
【図４】
0003695099.tif 000005
【図５】
0003695099.tif 000006
【図６】
0003695099.tif 000007
【図７】
0003695099.tif 000008
【図８】
0003695099.tif 000009
【図９】
0003695099.tif 000010